(57)【要約】【課題】黒色あるいは白色の色度を自由に調整でき画像の品質を確保する上で有利なプロジェクタ装置を提供する。【解決手段】白色の色度は、無機偏光板で構成された出射側偏光板２２Ｒ，２２Ｇ，２２Ｂあるいは入射偏光板の透過軸透過率を調整することで変化させることができる。黒色の色度は、無機偏光板で構成された出射側偏光板あるいは入射偏光板の透過軸透過率と吸収軸透過率との比であるコントラスト比を調整することで変化させることができる。白色の画像をスクリーンＳ上に投射させる際に、該白色の色度が予め定められた値の範囲内に入るように、各無機偏光板の透過軸透過率を設定する。黒色の画像をスクリーンＳ上に投射させる際に、該黒色の色度が予め定められた値の範囲内に入るように、各無機偏光板のコントラスト比を設定する。【選択図】図３
2010134087.tif 000002
【特許請求の範囲】
【請求項１】
光源と、
前記光源からの光を波長領域が異なる複数の光に分離する分離部と、
前記分離部で分離された前記光毎に設けられそれら光の偏光状態を画像情報に応じて変換して透過させる複数の光変調器と、
前記複数の光変調器から透過された光を合成する光合成部と、
前記各光変調器に対応して前記分離部と前記光変調器との間に設けられた入射側偏光板と、
前記各光変調器に対応して前記光変調器と前記光合成部との間に設けられた出射側偏光板と、
前記光合成部から出射された光をスクリーンに投射させる投射光学系とを備え、
前記各光変調器に対応する前記出射側偏光板が無機材料で形成された無機偏光板で構成され、
前記各光変調器に対応する前記入射側偏光板および前記出射側偏光板の一方または双方が無機材料で形成された無機偏光板で構成され、
黒色の画像を投射させる際に該黒色の色度が予め定められた値の範囲内に入るように、前記各無機偏光板の透過軸透過率と吸収軸透過率の比であるコントラスト比が設定されている、
プロジェクタ装置。
【請求項２】
前記予め定められた黒色の色度の値の範囲は、ｘ値が０．２〜０．３５であり、ｙ値が０．２〜０．４である、
請求項１記載のプロジェクタ装置。
【請求項３】
前記分離部は前記光源からの光を波長領域が異なる赤色の光、緑色の光、青色の光に分離し、
前記各光変調器は、赤色の光に対応して設けられた赤チャンネル光変調器と、緑色の光に対応して設けられた緑チャンネル光変調器と、青色の光に対応して設けられた青チャンネル光変調器とで構成され、
前記各入射側偏光板は、前記赤チャンネル光変調器に対応して設けられた赤チャンネル入射側偏光板と、前記緑チャンネル光変調器に対応して設けられた緑チャンネル入射側偏光板と、前記青チャンネル光変調器に対応して設けられた青チャンネル入射側偏光板とで構成され、
前記各出射側偏光板は、前記赤チャンネル光変調器に対応して設けられた赤チャンネル出射側偏光板と、前記緑チャンネル光変調器に対応して設けられた緑チャンネル出射側偏光板と、前記青チャンネル光変調器に対応して設けられた青チャンネル出射側偏光板とで構成されている、
請求項１記載のプロジェクタ装置。
【請求項４】
前記３つの出射側偏光板のコントラスト比の調整範囲を比率で表した場合、
青チャンネル出射側偏光板のコントラスト比の調整範囲が０．４〜２であり、
緑チャンネル出射側偏光板のコントラスト比の調整範囲が１〜４であり、
赤チャンネル出射側偏光板のコントラスト比の調整範囲が１〜３である、
請求項３記載のプロジェクタ装置。
【請求項５】
前記光変調器は透過型液晶パネルで構成されている、
請求項１記載のプロジェクタ装置。
【請求項６】
光源と、
前記光源からの光を波長領域が異なる複数の光に分離する分離部と、
前記分離部で分離された前記光毎に設けられそれら光の偏光状態を画像情報に応じて変換して透過させる複数の光変調器と、
前記複数の光変調器から透過された光を合成する光合成部と、
前記各光変調器に対応して前記分離部と前記光変調器との間に設けられた入射側偏光板と、
前記各光変調器に対応して前記光変調器と前記光合成部との間に設けられた出射側偏光板と、
前記光合成部から出射された光をスクリーンに投射させる投射光学系とを備え、
前記各光変調器に対応する前記入射側偏光板および前記出射側偏光板の一方または双方が無機材料で形成された無機偏光板で構成され、
白色の画像を投射させる際に該白色の色度が予め定められた値の範囲内に入るように、前記各無機偏光板の透過軸透過率が設定されている、
プロジェクタ装置。
【請求項７】
前記予め定められた白色の色度の値の範囲は、ｘ値が０．２９〜０．３４であり、ｙ値が０．３４〜０．４０である、
請求項６記載のプロジェクタ装置。
【請求項８】
前記分離部は前記光源からの光を波長領域が異なる赤色の光、緑色の光、青色の光に分離し、
前記各光変調器は、赤色の光に対応して設けられた赤チャンネル光変調器と、緑色の光に対応して設けられた緑チャンネル光変調器と、青色の光に対応して設けられた青チャンネル光変調器とで構成され、
前記各入射側偏光板は、前記赤チャンネル光変調器に対応して設けられた赤チャンネル入射側偏光板と、前記緑チャンネル光変調器に対応して設けられた緑チャンネル入射側偏光板と、前記青チャンネル光変調器に対応して設けられた青チャンネル入射側偏光板とで構成され、
前記各出射側偏光板は、前記赤チャンネル光変調器に対応して設けられた赤チャンネル出射側偏光板と、前記緑チャンネル光変調器に対応して設けられた緑チャンネル出射側偏光板と、前記青チャンネル光変調器に対応して設けられた青チャンネル出射側偏光板とで構成されている、
請求項６記載のプロジェクタ装置。
【請求項９】
前記分離部は、第１、第２、第３のダイクロイックフィルターを有し、
前記第１のダイクロイックフィルターは、前記光源から出射された光のうち青色の波長領域の光を選択的に反射して前記青チャンネル入射側偏光板を介して前記青チャンネル光変調器に導くと共に、青色の波長領域を除く残りの光を透過するように構成され、
前記第２のダイクロイックフィルターは、前記第１のダイクロイックフィルターを透過した光のうち緑色の波長領域の光を選択的に反射して前記緑チャンネル入射側偏光板を介して前記緑チャンネル光変調器に導くと共に、赤色の波長領域の光を含む残りの光を透過するように構成され、
前記第３のダイクロイックフィルターは、前記第２のダイクロイックフィルターを透過した光のうち赤色の波長領域の光を選択的に透過して前記赤チャンネル入射側偏光板を介して前記赤チャンネル光変調器に導くように構成されている、
請求項８記載のプロジェクタ装置。
【請求項１０】
前記光変調器は透過型液晶パネルで構成されている、
請求項６記載のプロジェクタ装置。
【発明の詳細な説明】
【技術分野】
【０００１】
本発明はプロジェクタ装置に関する。
【背景技術】
【０００２】
従来から、光源からの光を赤色、緑色、青色の光に分離する分離部と、分離部で分離された光毎に設けられそれら光を画像情報によって変調して透過させる３つの透過型液晶表示器と、各透過型液晶表示器の光入射側および光出射側にそれぞれ配置された入射側偏光板および出射側偏光板と、各出射側偏光板から透過される光を合成して出射する光合成部と、光合成部から出射された光をスクリーンに投射させる投射光学系とを備えるプロジェクタ装置が提供されている（特許文献１参照）。
プロジェクタ装置が白色あるいは黒色の画像を出力した場合、理想的な（完全な）白色あるいは黒色を得ることはできず、白色あるいは黒色に多少の色が混じった画像が表示される。
これは、赤色、緑色、青色の光のバランスが理想からずれてしまうからであり、このずれの原因は、光源の出力スペクトルや各光学部品の特性（透過率や反射率等）等の重なりによるものである。
そこで、白色の色度が予め定められた値の範囲内に入るように、分離部によって分離される赤色、緑色、青色の３原色のそれぞれの光量のバランスを調整した設計がなされている。
具体的には、分離部を構成する各色に対応して設けられたダイクロイックフィルター（ダイクロイックミラー）の半値波長を調整することで３原色のそれぞれの光量のバランスを調整している。
【特許文献１】特開２００６−１１２９８
【発明の開示】
【発明が解決しようとする課題】
【０００３】
しかしながら、上記従来装置では、白色の色度は調整できるものの、黒色の色度は白色の色度の調整結果によって決定されてしまい、黒色の色度を白色の色度と独立して調整することができず、黒色の色度の調整の自由度を確保する上で不利があった。
また、ダイクロイックフィルター（ダイクロイックミラー）の半値波長を調整することだけで白色の色度をきめ細かく調整するには限界があった。
本発明はこのような事情に鑑みなされたものであり、その目的は、黒色あるいは白色の色度を自由に調整でき画像の品質を確保する上で有利なプロジェクタ装置を提供することにある。
【課題を解決するための手段】
【０００４】
上述の目的を達成するため、本発明のプロジェクタ装置は、光源と、前記光源からの光を波長領域が異なる複数の光に分離する分離部と、前記分離部で分離された前記光毎に設けられそれら光の偏光状態を画像情報に応じて変換して透過させる複数の光変調器と、前記複数の光変調器から透過された光を合成する光合成部と、前記各光変調器に対応して前記分離部と前記光変調器との間に設けられた入射側偏光板と、前記各光変調器に対応して前記光変調器と前記光合成部との間に設けられた出射側偏光板と、前記光合成部から出射された光をスクリーンに投射させる投射光学系とを備え、前記各光変調器に対応する前記出射側偏光板が無機材料で形成された無機偏光板で構成され、前記各光変調器に対応する前記入射側偏光板および前記出射側偏光板の一方または双方が無機材料で形成された無機偏光板で構成され、黒色の画像を投射させる際に該黒色の色度が予め定められた値の範囲内に入るように、前記各無機偏光板の透過軸透過率と吸収軸透過率の比であるコントラスト比が設定されている。
また本発明のプロジェクタ装置は、光源と、前記光源からの光を波長領域が異なる複数の光に分離する分離部と、前記分離部で分離された前記光毎に設けられそれら光の偏光状態を画像情報に応じて変換して透過させる複数の光変調器と、前記複数の光変調器から透過された光を合成する光合成部と、前記各光変調器に対応して前記分離部と前記光変調器との間に設けられた入射側偏光板と、前記各光変調器に対応して前記光変調器と前記光合成部との間に設けられた出射側偏光板と、前記光合成部から出射された光をスクリーンに投射させる投射光学系とを備え、前記各光変調器に対応する前記入射側偏光板および前記出射側偏光板の一方または双方が無機材料で形成された無機偏光板で構成され、白色の画像を投射させる際に該白色の色度が予め定められた値の範囲内に入るように、前記各無機偏光板の透過軸透過率が設定されている。
【発明の効果】
【０００５】
本発明によれば、各入射側偏光板および各出射側偏光板の一方または双方のコントラスト比を調整することで黒色の色度を白色の色度から独立して調整できるので、画像の品質を確保する上で有利となる。
また、本発明によれば、各入射側偏光板および各出射側偏光板の一方または双方の透過軸透過率を調整することで白色の色度をよりきめ細かく調整することができるので、画像の品質を確保する上で有利となる。
【発明を実施するための最良の形態】
【０００６】
次に、本発明の実施の形態について図面を参照して説明する。
図１は本実施の形態のプロジェクタ装置１０の構成を示す説明図、図２は本実施の形態のプロジェクタ装置１０の要部の構成を示す説明図である。
プロジェクタ装置１０は、図１に示すように、光源部１２と、分離部１４と、３つの光変調器１６Ｒ、１６Ｇ、１６Ｂと、３つの入射側偏光板１５Ｒ、１５Ｇ、１５Ｂと、３つの出射側偏光板２２Ｒ、２２Ｇ、２２Ｂと、光合成部１８と、位相差フィルム２０と、投射光学系２３などを含んで構成されている。
これら光源部１２、分離部１４、各入射側偏光板１５Ｒ、１５Ｇ、１５Ｂ、３つの光変調器１６Ｒ、１６Ｇ、１６Ｂ、光合成部１８、各出射側偏光板２２Ｒ、２２Ｇ、２２Ｂ、投射光学系２３は、図示しないフレームに従来公知の取り付け部材を介して取り付けられている。
【０００７】
（光源部１２）
光源部１２は、光源２４、ＵＶカットフィルター２６、フライアイレンズ２８、ＰＳ変換素子３０、コンデンサレンズ４５などを含んで構成されている。
光源２４は、白色光を出射するものであり、光源２４としては、白色光を出射する超高圧水銀ランプなど、従来公知のさまざまなランプが採用可能である。
ＵＶカットフィルター２６は、光源２４の前方に設けられた光源２４から出射される紫外線の通過を阻止するものである。
フライアイレンズ２８は、ＵＶカットフィルター２６の前方に設けられ、ＵＶカットフィルター２６を透過した光の照度分布を均一化することで、各光変調器１６Ｒ、１６Ｇ、１６Ｂの有効面積内を均一に照明させるものである。
ＰＳ変換素子３０は、フライアイレンズ２８によって導かれた光の偏光方向を所定方向に揃えるものであり、具体的には、光の偏光成分のうちＳ偏光はそのまま透過させ、Ｐ偏光をＳ偏光に変換させて透過させるものである。
コンデンサレンズ４５はＰＳ変換素子３０から出射される光を収束するものである。
【０００８】
（分離部１４）
分離部１４は、光源部１２からの光を波長領域が異なるＲ（赤色）の光、Ｇ（緑色）の光、Ｂ（青色）の光に分離するものであり、言い換えると、光源部１２からの光を波長領域が異なる赤色、緑色、青色の光に分離するものである。
分離部１４は、第１、第２、第３のダイクロイックフィルター３２、３４、３５、第１、第２、第３の反射ミラー３６、３８、４０を含んでいる。
本実施の形態では、第１、第２のダイクロイックフィルター３４、３６はダイクロイックミラーとして構成され、第３のダイクロイックフィルター３５は、後述するコンデンサレンズ４６の出射面に形成されたダイクロイックコートによって構成されている。
【０００９】
図３（Ａ）は第１のダイクロイックフィルター３２の波長対透過率の特性を示すスペクトルの概略説明図、（Ｂ）は第２のダイクロイックフィルター３４の波長対透過率の特性を示すスペクトルの概略説明図、（Ｃ）は第３のダイクロイックフィルター３５の波長対透過率の特性を示すスペクトルの概略説明図である。
第１のダイクロイックフィルター３２は、図３（Ａ）に示すように、光源１２から導かれた光のうち青色の波長領域の光を選択的に反射すると共に、青色の波長領域を除く残りの光、言い換えると、緑色および赤色の波長領域を含む光を透過する。
第２のダイクロイックフィルター３４は、図３（Ｂ）に示すように、第１のダイクロイックフィルター３２を透過した光のうち緑色の波長領域の光を選択的に反射して緑チャンネル入射側偏光板１５Ｇを介して緑チャンネル光変調器１６Ｇに導くと共に、赤色の波長領域の光を含む残りの光を透過する。
第３のダイクロイックフィルター３５は、図３（Ｃ）に示すように、第２のダイクロイックフィルター３４を透過した光のうち赤色の波長領域の光を選択的に透過するものである。
【００１０】
第１の反射ミラー３６は、第１のダイクロイックフィルター３２で分離された青色の波長領域の光Ｂを反射して後述する青チャンネル入射側偏光板１５Ｂを介して青チャンネル光変調器１６Ｂに導くものである。
第２の反射ミラー３８は、第２のダイクロイックフィルター３４で分離された赤色の波長領域の光を含む光を反射して第３の反射ミラー４０に導くものである。
第３の反射ミラー４０は、第２反射ミラー３８によって導かれた赤色の波長領域の光を含む光を第３のダイクロイックフィルター３５と後述する赤チャンネル入射側偏光板１５Ｒを介して赤チャンネル光変調器１６Ｒに導くものである。
なお、図中、符号４２、４４は光Ｒについての光路長の補正を行うリレーレンズ、符号４６、４８、５０は光Ｒ、光Ｇ、光Ｂをそれぞれ収束するコンデンサレンズを示す。
なお、分離部１４は光源１２からの光を赤色、緑色、青色の光に分離できればよいのであり、上述の構成に限定されるものではなく、従来公知のさまざまな構成が採用可能である。
【００１１】
（光変調器１６Ｒ、１６Ｇ、１６Ｂ）
各光変調器１６Ｒ、１６Ｇ、１６Ｂは、分離部１４で分離された光Ｒ、光Ｇ、光Ｂ毎に設けられている。
すなわち、赤色の光Ｒに対応して赤チャンネル光変調器１６Ｒが設けられ、緑色の光Ｇに対応して緑チャンネル光変調器１６Ｇが設けられ、青色の光Ｂに対応して青チャンネル光変調器１６Ｂが設けられている。
各光変調器１６Ｒ、１６Ｇ、１６Ｂは、各入射側偏光板１５Ｒ、１５Ｇ、１５Ｂを介して導かれる光の偏光状態を画像情報に応じて変換して透過させ、言い換えると、光の偏光状態を画像情報に応じて調整して透過させ、これにより、画像情報に応じて光を変調するものである。
詳細に説明すると、各光変調器１６Ｒ、１６Ｇ、１６Ｂは、赤色、緑色、青色の３色の画像情報をそれぞれ表示するものである。
各光変調器１６Ｒ、１６Ｇ、１６Ｂは、入射光に対応した色の映像信号が印加され、映像信号に従い、入射光の偏光方向を変換して透過させるものである。
言い換えると、各光変調器１６Ｒ、１６Ｇ、１６Ｂは、入射光をＳ偏光からＰ偏光に変換して変調出力するものである。
なお、各光変調器１６Ｒ、１６Ｇ、１６Ｂは入力される映像信号が白である場合（最も明るい場合）、入射光の偏光方向をＳ偏光からＰ偏光に変換して透過させる。また、各光変調器１６Ｒ、１６Ｇ、１６Ｂは入力される映像信号が黒である場合（最も暗い場合）、入射光の偏光方向をＳ偏光のまま透過させる。
本実施の形態では、各光変調器１６Ｒ、１６Ｇ、１６Ｂは、透過型液晶パネルで構成されている。
【００１２】
（各入射側偏光板１５Ｒ、１５Ｇ、１５Ｂ）
各入射側偏光板１５Ｒ、１５Ｇ、１５Ｂは、各光変調器１６Ｒ、１６Ｇ、１６Ｂに対応して分離部１４と光変調器との間に設けられ、分離部１４で分離された光Ｒ、光Ｇ、光Ｂの偏光成分をＳ偏光に揃えるものである。
すなわち、赤チャンネル光変調器１６Ｒに対応して赤チャンネル入射側偏光板１５Ｒが設けられ、緑チャンネル光変調器１６Ｇに対応して緑チャンネル入射側偏光板１５Ｇが設けられ、青チャンネル光変調器１６Ｂに対応して青チャンネル入射側偏光板１５Ｂが設けられている。
なお、ＰＳ変換素子３０により光Ｒ、光Ｇ、光Ｂの偏光成分はＳ偏光に揃えられているが、分離部１４を構成するミラーやレンズを通過することで光Ｒ、光Ｇ、光Ｂの偏光成分には乱れが生じＳ偏光でないものを含んでいる。
したがって、各入射側偏光板１５Ｒ、１５Ｇ、１５Ｂを用いることで光Ｒ、光Ｇ、光Ｂの偏光成分の乱れを除去しＳ偏光に揃えている。
各入射側偏光板１５Ｒ、１５Ｇ、１５Ｂは、透過すべき偏光方向の光のみを透過させかつそれ以外の光を吸収する吸収型偏光板である。
このような吸収型偏光板としては、無機材料で形成された吸収型偏光板が採用可能である。
無機材料で形成された吸収型偏光板としては、無機微粒子の光学異方性による偏光吸収作用を利用したもの（以下無機吸収型偏光板という）などの従来公知のさまざまな無機吸収型偏光板が採用可能である。
なお、無機吸収型偏光板としては、使用波長帯域に対して透明である基板（ガラス基板）にスパッタリング、真空蒸着等の真空成膜法により、大きさが使用波長帯域よりも短く、かつ、形状異方性を有する無機微粒子（半導体、金属）を形成したものが挙げられる。
この無機吸収型偏光板は、無機微粒子が使用波長帯域よりも短い間隔で整列しており、当該無機微粒子の光学異方性による偏光吸収作用を利用することで偏光板として機能する。
また、吸収型偏光板としては、有機材料で形成された偏光板フィルムを用いたもの（以下有機吸収型偏光板という）など、従来公知のさまざまな有機吸収型偏光板が採用可能である。
【００１３】
本実施の形態では、赤チャンネル入射側偏光板１５Ｒおよび緑チャンネル入射側偏光板１５Ｇとして有機吸収型偏光板を用いている。
すなわち、有機吸収型偏光板（以下有機偏光板という）は、図２に示すように、透明なガラス基板１５０２と、該ガラス基板１５０２が変調器１６Ｒ、１６Ｇに臨む表面に貼り付けられた有機材料で形成された偏光板フィルム１５０４とを備える。
また、本実施の形態では、青チャンネル入射側偏光板１５Ｂとして無機吸収型偏光板（以下無機偏光板という）を用いている。
青チャンネル入射側偏光板１５Ｂは、青色の光、言い換えると、赤色および緑色よりも波長が短く、そのため、赤色および緑色よりも高いエネルギーを有する光を吸収することになる。
したがって、青チャンネル入射側偏光板１５Ｂは、赤チャンネル入射側偏光板１５Ｒおよび緑チャンネル入射側偏光板１５Ｇよりも発熱しやすく高温になりやすい。
このような青チャンネル入射側偏光板１５Ｂとして、耐熱性に優れた無機偏光板を用いることで、光源２４が高出力化された場合であっても、プロジェクタ装置１０によってスクリーンＳに投影される画像の品質を長期間にわたって維持することができ、プロジェクタ装置１０の長寿命化を図る上で有利となっている。
また、赤チャンネル入射側偏光板１５Ｒおよび緑チャンネル入射側偏光板１５Ｇは、青チャンネル入射側偏光板１５Ｂに比較して発熱しにくく高温になりにくいため、耐熱性がそれほど高くない有機偏光板を用いても寿命を確保する上で問題はない。
また、有機偏光板は、無機偏光板よりもコストが安価であるため、プロジェクタ装置１０のコストダウンを図る上で有利となっている。
【００１４】
（出射側偏光板２２Ｒ、２２Ｇ、２２Ｂ）
各出射側偏光板２２Ｒ、２２Ｇ、２２Ｂは何れも耐熱性に優れた無機偏光板で構成されている。
各出射側偏光板２２Ｒ、２２Ｇ、２２Ｂは、各光変調器１６Ｒ、１６Ｇ、１６Ｂから出射される光Ｒ、光Ｇ、光Ｂの偏光成分のうちＰ偏光を透過させ、それ以外の透過を阻止すべき偏光成分を吸収するものである。
すなわち、赤チャンネル光変調器１６Ｒに対応して赤チャンネル出射側偏光板２２Ｒが設けられ、緑チャンネル光変調器１６Ｇに対応して緑チャンネル出射側偏光板２２Ｇが設けられ、青チャンネル光変調器１６Ｂに対応して青チャンネル出射側偏光板２２Ｂが設けられている。
赤チャンネル出射側偏光板２２Ｒは、赤チャンネル光変調器１６Ｒと第１の入射面１８０２との間にそれぞれ空間Ｓ１、Ｓ２を確保した状態で配置され、本実施の形態では、後述する位相差フィルム２０との間に空間Ｓ２を介して対面している。
緑チャンネル出射側偏光板２２Ｇは、緑チャンネル光変調器１６Ｇと第２の入射面１８０４との間にそれぞれ空間Ｓ１、Ｓ２を確保した状態で配置されている。
青チャンネル出射側偏光板２２Ｂは、青チャンネル光変調器１６Ｂと第３の入射面１８０６との間にそれぞれ空間Ｓ１、Ｓ２を確保した状態で配置され、本実施の形態では、後述する位相差フィルム２０との間に空間Ｓ２を介して対面している。
【００１５】
各出射側偏光板２２Ｒ、２２Ｇ、２２Ｂは、各光変調器１６Ｒ、１６Ｇ、１６Ｂから出射された光のうちＰ偏光以外の偏光成分の光を吸収することで発熱する。
そこで、各出射側偏光板２２Ｒ、２２Ｇ、２２Ｂを放熱させるために、空間Ｓ１、Ｓ２に空気を流通させるファンなどの送風手段（不図示）を設けている。
【００１６】
（光合成部１８）
本実施の形態では、光合成部１８は、図２に示すように、光合成プリズム１８Ａで構成されている。
光合成プリズム１８Ａは、第１、第２、第３の入射面１８０２、１８０４、１８０６と、第１、第２のダイクロイックミラー膜１８１０、１８１２と、出射面１８０８とを有している。
第１、第３の入射面１８０２、１８０６は平行し、第２の入射面１８０４と出射面１８０８とは第１、第３の入射面１８０２、１８０６と直交しかつ互いに平行している。
第１、第２のダイクロイックミラー膜１８１０、１８１２は、互いに直交し、かつ、第１、第２、第３の入射面１８０２、１８０４、１８０６、出射面１８０８と４５度をなして交差している。
第１の入射面１８０２は、赤チャンネル光変調器１６Ｒから透過された光Ｒが入射される。
第２の入射面１８０４は、緑チャンネル光変調器１６Ｇから透過された光Ｇが入射される。
第３の入射面１８０６は、青チャンネル光変調器１６Ｂから透過された光Ｂが入射される。
第１、第２のダイクロイックミラー膜１８１０、１８１２は、光Ｒ、光Ｇ、光Ｂをそれらの光の波長領域毎に反射または透過することにより合成するものである。
具体的には、第１のダイクロイックミラー膜１８１０は、Ｓ偏光のうち赤色の波長領域の光のみ反射し、Ｓ偏光のうち赤色の波長領域を除く光は透過する。
第２のダイクロイックミラー膜１８１２は、Ｓ偏光のうち青色の波長領域の光のみ反射し、Ｓ偏光のうち青色の波長領域を除く光は透過する。
出射面１８０８は、第１、第２のダイクロイックミラー膜１８１０、１８１２によって合成された光を出射する。
【００１７】
（位相差フィルム２０）
位相差フィルム２０は有機材料で形成され、第１、第２、第３の入射面１８０２、１８０４、１８０６のうちの少なくとも１つの入射面に貼り付けられ直線偏光の偏光方向を変換するものである。
なお、位相差フィルム２０の入射面への貼り付けは、例えば、位相差フィルム２０の裏面に形成された接着層を用いることでなされる。
このような位相差フィルム２０の構成としては、例えば、ＴＡＣ（トリアセチルセルロース）とＰＶＡ（ポリビニルアルコール）とを積層し、表面にプロテクトフィルムとしてのＰＥＴ（ポリエチレンテレフタレート）を形成したものなど、従来公知のさまざまな構成のものが採用可能である。
位相差フィルム２０は第１、第３の入射面１８０２、１８０６の２つの入射面に貼り付けられており、Ｐ偏光をＳ偏光に変換する。
【００１８】
（投射光学系２３）
投射光学系２３は、光合成部１８から（光合成プリズム１８Ａの出射面１８０８から）出射された光をスクリーンＳに照射することにより、スクリーンＳに画像を形成するものである。
【００１９】
次に動作について説明する。
光源部１２から出射された光は、分離部１４によって光Ｒ、光Ｇ、光Ｂに分離される。
光Ｒは、第１の入射側偏光板１５Ｒを介して赤チャンネル光変調器１６Ｒに導かれ変調されたのち、赤チャンネル出射側偏光板２２Ｒを介して位相差フィルム２０に至る。
そして、光Ｒは、位相差フィルム２０で直線偏光の偏光方向がＰ偏光からＳ偏光に変換されたのち、第１の入射面１８０２から第１、第２ダイクロイックミラー膜１８１０、１８１２に導かれる。
したがって、Ｓ偏光としての光Ｒは、第１のダイクロイックミラー膜１８１０により反射され、また、第２のダイクロイックミラー膜１８１２を透過することで出射面１８０８から投射光学系２３に導かれる。
【００２０】
光Ｇは、第２の入射側偏光板１５Ｇを介して緑チャンネル光変調器１６Ｇに導かれ変調されたのち、緑チャンネル出射側偏光板２２Ｇを介して偏光方向がＰ偏光に揃えられた状態で第２の入射面１８０４から第１、第２ダイクロイックミラー膜１８１０、１８１２に導かれる。
したがって、Ｐ偏光としての光Ｇは、第１、第２ダイクロイックミラー膜１８１０、１８１２の双方を透過することで出射面１８０８から投射光学系２３に導かれる。
【００２１】
光Ｂは、青チャンネル入射側偏光板１５Ｂを介して青チャンネル光変調器１６Ｂに導かれ変調されたのち、青チャンネル出射側偏光板２２Ｂを介して位相差フィルム２０に至る。
そして、光Ｂは、位相差フィルム２０で直線偏光の偏光方向がＰ偏光からＳ偏光に変換されたのち、第３の入射面１８０６から第１、第２ダイクロイックミラー膜１８１０、１８１２に導かれる。
したがって、Ｓ偏光としての光Ｂは、第２のダイクロイックミラー膜１８１２により反射され、また、第１のダイクロイックミラー膜１８１０を透過することで出射面１８０８から投射光学系２３に導かれる。
【００２２】
次に、出射側偏光板（無機偏光板）２２Ｒ，２２Ｇ，２２Ｂの透過軸透過率および吸収軸透過率の設定について説明する。
プロジェクタ装置１０によってスクリーンＳ上に白色の画像を投射させる場合、この白色の色度は、出射側偏光板（無機偏光板）２２Ｒ，２２Ｇ，２２Ｂの透過軸透過率を調整することで変化させることができる。
また、プロジェクタ装置１０によってスクリーンＳ上に黒色の画像を投射させる場合、この黒色の色度は、出射側偏光板（無機偏光板）２２Ｒ，２２Ｇ，２２Ｂの透過軸透過率と吸収軸透過率との比であるコントラスト比を調整することで変化させることができる。
ここで、有機偏光板は、透過軸透過率および吸収軸透過率を所望の値に設定して製造することが難しいのに対して、無機偏光板は、透過軸透過率および吸収軸透過率を所望の値に設定して製造することができる。
【００２３】
そこで、本実施の形態では、前述したように各出射側偏光板２２Ｒ，２２Ｇ，２２Ｂを無機偏光板で構成し、これにより、透過軸透過率および吸収軸透過率を所望の値に設定するようにした。
すなわち、白色の画像をスクリーンＳ上に投射させる際に、該白色の色度が予め定められた値の範囲内に入るように、各出射側偏光板（無機偏光板）２２Ｒ，２２Ｇ，２２Ｂの透過軸透過率を設定する。
この場合、予め定められた白色の色度の値の範囲は、ｘ値が０．２９〜０．３４であり、ｙ値が０．３４〜０．４０であれば、プロジェクタ装置１０として要求される白色の色度を確保できる。
なお、本実施の形態においても従来と同様に、分離部１４を構成する第１、第２、第３のダイクロイックフィルター３２、３４、３５の半値波長λｈを調整することで３原色のそれぞれの光量のバランスを調整し、これにより白色の色度を調整している。
また、黒色の画像をスクリーンＳ上に投射させる際に、該黒色の色度が予め定められた値の範囲内に入るように、各出射側偏光板２２Ｒ，２２Ｇ，２２Ｂのコントラスト比を設定する。
この場合、予め定められた黒色の色度の値の範囲は、ｘ値が０．２〜０．３５であり、ｙ値が０．２〜０．４であれば、プロジェクタ装置１０として要求される黒色の色度を確保できる。
また、プロジェクタ装置１０として要求される黒色の色度を確保するために必要な、３つの出射側偏光板２２Ｒ，２２Ｇ，２２Ｂのコントラスト比の調整範囲を比率で表すと次のようになる。
すなわち、青チャンネル出射側偏光板２２Ｂのコントラスト比の調整範囲が０．４〜２であり、緑チャンネル出射側偏光板２２Ｇのコントラスト比の調整範囲が１〜４であり、赤チャンネル出射側偏光板２２Ｒのコントラスト比の調整範囲が１〜３である。
【００２４】
本実施の形態によれば、分離部１４の各ダイクロイックフィルター３２、３４、３５の半値波長λｈを調整することに加えて、各出射側偏光板２２Ｒ，２２Ｇ，２２Ｂの透過軸透過率を調整するようにした。
したがって、白色の色度をよりきめ細かく調整することができるので、画像の品質を確保する上で有利となる。
また、本実施の形態によれば、各出射側偏光板２２Ｒ，２２Ｇ，２２Ｂのコントラスト比を調整することで黒色の色度を白色の色度から独立して調整するようにした。
したがって、黒色の色度を自由に調整でき画像の品質を確保する上でより一層有利となる。
【００２５】
なお、本実施の形態では、各出射側偏光板２２Ｒ，２２Ｇ，２２Ｂを無機偏光板とし、それら３つの無機偏光板の透過軸透過率を調整することで白色の色度を調整する場合について説明した。
しかしながら、各入射側偏光板１５Ｒ，１５Ｇ，１５Ｂを無機偏光板で構成し、白色の画像を投射させる際に該白色の色度が予め定められた値の範囲内に入るように、各入射側偏光板１５Ｒ，１５Ｇ，１５Ｂの透過軸透過率を設定してもよい。
あるいは、各出射側偏光板２２Ｒ，２２Ｇ，２２Ｂおよび各入射側偏光板１５Ｒ，１５Ｇ，１５Ｂの双方を無機偏光板で形成し、白色の画像を投射させる際に該白色の色度が予め定められた値の範囲内に入るように、各偏光板２２Ｒ，２２Ｇ，２２Ｂ、１５Ｒ，１５Ｇ，１５Ｂの透過軸透過率を設定してもよい。
また、各入射側偏光板１５Ｒ，１５Ｇ，１５Ｂを無機偏光板で構成し、黒色の画像を投射させる際に該黒色の色度が予め定められた値の範囲内に入るように、各入射側偏光板１５Ｒ，１５Ｇ，１５Ｂのコントラスト比を設定してもよい。
あるいは、各出射側偏光板２２Ｒ，２２Ｇ，２２Ｂおよび各入射側偏光板１５Ｒ，１５Ｇ，１５Ｂの双方を無機偏光板で形成し、黒色の画像を投射させる際に該黒色の色度が予め定められた値の範囲内に入るように、各偏光板２２Ｒ，２２Ｇ，２２Ｂ、１５Ｒ，１５Ｇ，１５Ｂのコントラスト比を設定してもよい。
ただし、本実施の形態のように、各出射側偏光板２２Ｒ，２２Ｇ，２２Ｂのみを無機偏光板とすれば（あるいは各入射側偏光板１５Ｒ，１５Ｇ，１５Ｂのみを無機偏光板とすれば）、比較的高価な無機偏光板の部品点数を抑制しつつ、白色の色度および黒色の色度の双方を設定することができるため、コスト低減を図る上で有利となる。
【図面の簡単な説明】
【００２６】
【図１】本実施の形態のプロジェクタ装置１０の構成を示す説明図である。
【図２】本実施の形態のプロジェクタ装置１０の要部の構成を示す説明図である。
【図３】（Ａ）は第１のダイクロイックフィルター３２の波長対透過率の特性を示すスペクトルの概略説明図、（Ｂ）は第２のダイクロイックフィルター３４の波長対透過率の特性を示すスペクトルの概略説明図、（Ｃ）は第３のダイクロイックフィルター３５の波長対透過率の特性を示すスペクトルの概略説明図である。
【符号の説明】
【００２７】
１０……プロジェクタ装置、１２……光源部、１４……分離部、１５Ｒ、１５Ｇ、１５Ｂ……入射側偏光板、１６Ｒ、１６Ｇ、１６Ｂ……光変調器、１８……光合成部、２２Ｒ、２２Ｇ、２２Ｂ……出射側偏光板、２３……投射光学系。
【図１】
2010134087.tif 000003
【図２】
2010134087.tif 000004
【図３】
2010134087.tif 000005